(57)【要約】【課題】連結金具本体と連結用ピンの確実な係止状態が維持され、連結金具本体への係止部材の組み付けが簡単で、しかも連結金具本体を装身具用のパーツとして好ましいコンパクトなサイズにすることが可能で、コスト低減も容易に行える装身具用連結金具を提供することを目的とするものである。【解決手段】連結金具本体と連結用ピンとからなるネックレス等の環状装身具に使用する連結金具において、環状装身具の一端が接続される上記連結用ピンは棒状の周面に係止溝が形成され、環状装身具の他端が接続される上記連結金具本体は、上記連結用ピンの係止溝にはめ込み可能な係止枠を備えかつ連結金具本体の外部に押ボタン部を設けた係止部材と、この係止部材を上記連結金具本体に対して外れ止めする抜止め機構と、上記係止部材の係止枠を常時連結用ピンの係止溝に係止する方向に付勢するコイルバネとを内蔵したことを特徴とする装身具用連結金具。【選択図】  図１
2008029693.tif 000002
【特許請求の範囲】
【請求項１】
連結金具本体と連結用ピンとからなるネックレス等の環状装身具に使用する連結金具において、環状装身具の一端が接続される上記連結用ピンは棒状の周面に係止溝が形成され、環状装身具の他端が接続される上記連結金具本体は、上記連結用ピンの係止溝にはめ込み可能な係止枠を備えかつ連結金具本体の外部に押ボタン部を設けた係止部材と、この係止部材を上記連結金具本体に対して外れ止めする抜止め機構と、上記係止部材の係止枠を常時連結用ピンの係止溝に係止する方向に付勢するコイルバネとを内蔵したことを特徴とする装身具用連結金具。
【請求項２】
上記係止部材の係止枠を所定の間隔で連結用ピンの挿入方向に少なくとも一対設けることにより、環状装身具の両端から上記連結用ピンをはめ込み可能としたことを特徴とする請求項１記載の装身具用連結金具。
【発明の詳細な説明】
【技術分野】
【０００１】
この発明は、ネックレス，ブレスレット，アンクレット等の環状装身具における連結金具に関するものである。
【背景技術】
【０００２】
ネックレス，ブレスレット，アンクレット等の環状装身具、例えばネックレスは、いわゆるクラスプと称する連結金具によって環状に連結され、使用されるものである。
【０００３】
このようなクラスプの例として、実開昭５５−１６６５８号公報（特許文献１参照）等の板バネを利用したもの、実開平１−１９３１６号公報（特許文献２参照）等のボタン式に脱着できるようにしたもの、実開平１−１２４１１０号公報（特許文献３参照）、実開平２−８９９１５号公報（特許文献４参照）、実開平３−３３５０９号公報（特許文献５参照）等のピンあるいは棒状体を抜止めするようにしたもの、特開平７−１７７９１６号公報（特許文献６参照）等の磁気で抜止めするようにしたもの、特開昭５２−５７４号公報（特許文献７参照）等の雌部のガイド溝へはめ込む突起を備えた雄部をひねって抜止めするようにしたもの等が知られている。
【０００４】
さらに、他の例として、特開平９−１８２６０９号公報（特許文献８参照）や実開平７−３０７３０号公報（特許文献９参照）に示すように、連結金具本体と連結用ピンからなるネックレス等環状装身具の連結金具において、環状装身具の一端が接続される上記連結用ピンは丸棒形状の周面に係止溝が形成され、環状装身具の他端が接続される上記連結金具本体は上記連結用ピンの挿脱が可能な筒状の受入れ部材と、上記連結用ピンの係止溝に係脱可能な係止枠を備えかつ連結金具本体の外部に押ボタン部を設けた係止部材と、この係止部材の係止枠を常時係止溝に係止する方向に付勢するコイルバネとからなる環状装身具の連結金具が提案されている。
【０００５】
この発明は、上記特許文献８、９等に示した環状装身具の連結金具の改良に関するものである。
【特許文献１】実開昭５５−１６６５８号公報
【特許文献２】実開平１−１９３１６号公報
【特許文献３】実開平１−１２４１１０号公報
【特許文献４】実開平２−８９９１５号公報
【特許文献５】実開平３−３３５０９号公報
【特許文献６】特開平７−１７７９１６号公報
【特許文献７】特開昭５２−５７４号公報
【特許文献８】特開平９−１８２６０９号公報
【特許文献９】実開平７−３０７３０号公報
【発明の開示】
【発明が解決しようとする課題】
【０００６】
ところで、上記特許文献８、９等に示した連結金具には、次のような欠点があった。
すなわち、連結用ピンの挿通が可能な筒状の受入れ部材を使用しているので、この受入れ部材へ係止枠を組み付ける構造とするための受入れ部材の加工に手間がかかる。
また、上記連結用ピンの挿通が可能な筒状の受入れ部材を上記連結金具本体に内蔵しているので、受入れ部材の連結金具本体への取り付け、および係止枠への組み付けに手間がかかる。
【０００７】
上記にくわえて、上記連結用ピンの挿通が可能な筒状の受入れ部材を上記連結金具本体に内蔵しているので、連結金具本体が大きくなりやすく、装身具用のパーツとして好ましくないばかりか、コストも低減しにくいという問題点があった。
【０００８】
この発明は、上記問題点に鑑みてなされたもので、連結金具本体と連結用ピンの確実な係止状態が維持され、連結金具本体への係止部材の組み付けが簡単で、しかも連結金具本体を装身具用のパーツとして好ましいコンパクトなサイズにすることが可能で、コスト低減も容易に行える装身具用連結金具を提供することを目的とするものである。
【課題を解決するための手段】
【０００９】
この発明の装身具用連結金具は上記課題を解決するため、連結金具本体と連結用ピンとからなるネックレス等の環状装身具に使用する連結金具において、環状装身具の一端が接続される上記連結用ピンは棒状の周面に係止溝が形成され、環状装身具の他端が接続される上記連結金具本体は、上記連結用ピンの係止溝にはめ込み可能な係止枠を備えかつ連結金具本体の外部に押ボタン部を設けた係止部材と、この係止部材を上記連結金具本体に対して外れ止めする抜止め機構と、上記係止部材の係止枠を常時連結用ピンの係止溝に係止する方向に付勢するコイルバネとを内蔵したことを特徴とするものである。
【００１０】
この発明の装身具用連結金具はまた、上記係止部材の係止枠を所定の間隔で連結用ピンの挿入方向に少なくとも一対設けることにより、環状装身具の両端から上記連結用ピンをはめ込み可能としたことをも特徴としている。
【００１１】
この発明による装身具用連結金具は、連結用ピンを連結金具本体に連結する際に、連結用ピンはその外周面で係止部材の係止枠をコイルバネの弾性力に抗して押圧しながら通過し、係止溝が係止部に至った地点でコイルバネの弾性力で係止部材が付勢して係止枠が係止溝に係止される。また、環状装身具を外す際には、連結金具本体の押ボタン部を押しながら連結用ピンを連結金具本体から離す方向に作用させることで、連結用ピンの係止溝から係止部材の係止枠が外れて引き抜け、連結が解かれる。
【００１２】
また、係止部材の係止枠を所定の間隔で連結用ピンの挿入方向に少なくとも一対設けることにより、環状装身具の両端から上記連結用ピンをはめ込み可能としたので、左右いずれの連結用ピンからでもネックレス等の環状装身具の取り付け、取り外しが可能になるとともに、他種類の環状装身具に適用することも可能になる。
【発明の効果】
【００１３】
この発明は以上のように構成したので、次のような効果を有する。
（１）従来の受入れ部材を不要としたので、連結金具本体への係止部材の組み付けが簡単で、しかも連結金具本体を装身具用のパーツとして好ましいコンパクトなサイズにすることが可能となり、コスト低減を容易に行える装身具用連結金具を提供することができる。
（２）連結用ピンを係止する連結金具本体の係止部材は、コイルバネでその弾性力を発生するので、板ばね式のものに比べて係止力が強く、耐久性も高いことから、使用頻度が増しても連結金具本体から連結用ピンが不用意に抜ける心配がない。
（３）連結用ピンは先端から連結金具本体内に挿通され、その内部に収納されていることから、連結用ピンの自由端が連結金具本体から突出して衣類に引っ掛けたり、肌を傷つける懸念がない。
（４）係止部材の係止枠を所定の間隔で連結用ピンの挿入方向に少なくとも一対設けることにより、環状装身具の両端から上記連結用ピンをはめ込み可能としたので、利き手に無関係に左右いずれの連結用ピンからでもネックレス等の環状装身具の取り付け、取り外しが可能になるとともに、他種類の環状装身具に適用することも可能になる。
【発明を実施するための最良の形態】
【００１４】
以下、この発明の装身具用連結金具の実施の形態を図面に基いて詳細に説明する。
図１（a）はこの発明に係る第１実施例の装身具用連結金具の概略透視図、（ｂ）は連結用ピンを抜き取る際の説明図、図２は連結金具本体に係止部材を取り付ける際の手順を示し、（ａ）は抜止めピンを押し込む前の概略図、（ｂ）は抜止めピンを押し込んでいる最中の概略図、（ｃ）は抜止めピンを押し込んだ後の概略図、図３は係止部材の拡大側面図、図４は係止部材の拡大正面図、図５（ａ）はこの発明に係る第２実施例の装身具用連結金具の概略透視図、（ｂ）は連結用ピンを抜き取る際の説明図、図６は連結用ピンを押し込む際の説明図、図７は抜止め機構の他の例を示す拡大正面図、図８は抜止め機構のさらに別の例を示す拡大正面図である。
【００１５】
図１ないし図４に示す第１実施例において、装身具用連結金具１１は連結金具本体１２と連結用ピン１３からなり、連結金具本体１２と連結用ピン１３とは、チェーンや多数の珠玉を綴り通した連珠糸の両端部にそれぞれ連結してある。
上記連結用ピン１３は丸棒状をなし、その先方に後記する係止部材１６の係止枠２１に係脱可能な係止溝１４を円周に沿って形成してある。この連結用ピン１３の先端部は連結金具本体１２に挿入しやすいように円弧状断面に形成してある。
１５は、連結用ピン１３の後部に設けた圧入防止環である。
【００１６】
他方、連結金具本体１２は内部を中空に形成してある。連結金具本体１２の一端には丸環２０を介してチェーンや多数の珠玉を綴り通した連珠糸と連結してある。
連結金具本体１２の他端には、連結用ピン１３の挿入するためのピン孔を形成してあり、このピン孔には、連結用ピン１３を導入案内するガイド部１６が連結金具本体１２内に突出するよう形成されている。このガイド部１６の先端は、後述する係止部材１７の係止枠２１とは交差しない位置で終わっている。
【００１７】
連結金具本体１２のほぼ中央には、上記ガイド部１６から導入案内された連結用ピン１３の係止溝１４に係合するよう、係止部材１７が昇降可能に取り付けられ、連結金具本体１２の底部には係止部材１７を常時上方に押圧するコイルバネ１８を収容するバネ収容部１９が設けてある。
【００１８】
係止部材１７はＵ字状の係止枠２１と、係止枠２１の上部に設けられ、連結金具本体１２の表面から突出する押ボタン部２２とで構成され、Ｕ字状の係止枠２１の底部内側が連結用ピン１３の係止溝１４に係合するようになっている。
また上記バネ収容部１９は、その内部にコイルバネ１８を圧縮状態に収容するために上面開口の筒状に形成してある。
【００１９】
上記係止部材１７は、上記連結金具本体に対して外れ止めする抜止め機構を備えている。この実施例において抜止め機構は抜止めピン２３からなっている。
すなわち、押ボタン２２部のやや下側には、一対の対向する側壁からそれぞれ突出するよう、弾性線材で構成された抜止めピン２３が差し渡され、抜止めピン２３の中間部分は押しボタン部２２の内壁に沿って逆U字状に屈曲させて、その両端が係止部材１７の側壁から突き出す方向に付勢するように構成してある。
そして、係止部材１７を連結金具本体１２にはめ込むに際しては、図２（ａ）の状態から、図２（ｂ）のように抜止めピン２３の幅を縮小させてはめ込み、はめ込んだ後には抜止めピン２３の先端は元の位置に復帰して、図２（ｃ）のように連結金具本体１２内に係合し、係止部材１７を外れ止めするよう機能する。
上記抜止めピン２３の両側先端は、押ボタン部２２側に向って長くなるように傾斜面を形成してあるので、図２（ｂ）の係止部材１７を連結金具本体１２にはめ込む操作を、抜止めピン２３の弾性を利用してワンタッチで行なうことができ、はめ込んだ後には抜止めピン２３の先端は上記弾性で元の位置に復帰して自動的に抜け止めされるのである。
【００２０】
以上のように構成した装身具用連結金具１１の取り扱いを説明する。ネックレス類を首に付けるときには、連結金具本体１２と連結用ピン１３を接近させ、連結用ピン１３の先を連結金具本体１２の挿入孔からガイド部１６へはめ込む。
連結用ピン１３がガイド部１６を抜けて係止部材１７の係止枠２１に到達すると、連結用ピン１３の先端は円弧状断面に形成してあるので、その外周面で係止枠２１を押し下げる。そして、連結用ピン１３の係止溝１４が係止枠２１部分に至ると、コイルバネ１８の弾性力で係止部材１７が上方に押し上げられて、係止枠２１が連結用ピン１３の係止溝１４に突出して係止され、装身具用連結金具１１の連結が完了する。これにより、連結用ピン１３は連結金具本体１２から引き抜けなくなる。
【００２１】
また、ネックレス類を首から外すときには、連結金具本体１２の表面に突出している押ボタン部２２を押しながら、連結用ピン１３を引き抜く方向に引っ張れば、係止部材１７が押し下げられて係止枠２１が連結用ピン１３の係止溝１４から離れるので、ガイド部１６から連結用ピン１３を簡単に引き抜くことができる。
【００２２】
次に、第２実施例を説明する。図５および図６に示すようにこの実施例の装身具用連結金具３１は第１実施例と同様に、中空状の連結金具本体３２と係止溝３４を形成した連結用ピン３３からなり、連結金具本体３２内には、連結用ピン３３を導入案内する一対のガイド部３６が、内向きに対向するよう形成されている。
このガイド部３６の中間には、連結用ピン３３の係止溝３４に係脱する係止部材３７と、係止部材３７を常時上方に押圧するコイルバネ３８を収容するバネ収容部３９を設けてある。
【００２３】
すなわち、連結金具本体３２のほぼ中央には、上記ガイド部３６から導入案内された連結用ピン３３の係止溝３４に係合するよう、係止部材３７が昇降可能に取り付けられ、連結金具本体３２の底部には係止部材３７を常時上方に押圧するコイルバネ３８を収容するバネ収容部３９が設けてある。
３５は、連結用ピン３３の後部に設けた圧入防止環、４０はチェーンや多数の珠玉を綴り通した連珠糸と連結するための丸環である。
【００２４】
係止部材３７は脚部４１と、脚部４１の上部に設けられ、連結金具本体３２の表面から突出する押ボタン部４２とで構成されている。また脚部４１はその上部で連結用ピン３３の長さ方向に沿って両側に分岐させて、上記ガイド部３６端部に面する位置に垂下するようＵ字状の係止枠４４が形成してある。この係止枠４４の底部内側が連結用ピン３３の係止溝３４に係合するようになっている。
なお上記バネ収容部３９は、その内部にコイルバネ３８を圧縮状態に収容するために上面開口の筒状に形成してある。
【００２５】
この実施例においても、上記係止部材３７の押ボタン４２部のやや下側には、一対の対向する側壁からそれぞれ突出するよう、弾性線材で構成された抜止めピン４３が差し渡され、抜止めピン４３の中間部分は押しボタン部４２の内壁に沿って逆U字状に屈曲させて、その両端が係止部材３７の側壁から突き出す方向に付勢するように構成してある。
そして、係止部材３７を連結金具本体３２にはめ込む操作は、第１実施例と同様である。
【００２６】
以上のように構成した装身具用連結金具３１の取り扱いを説明する。ネックレス類を首に付けるときには、連結金具本体３２と片方の連結用ピン３３を接近させ、連結用ピン３３の先を連結金具本体３２の挿入孔からガイド部３６へはめ込む。
連結用ピン３３がガイド部３６を抜けて係止部材３７の係止枠４４に到達すると、連結用ピン３３の先端は円弧状断面に形成してあるので、その外周面で係止枠４４を押し下げる。そして、連結用ピン３３の係止溝３４が係止枠４４部分に至ると、コイルバネ３８の弾性力で係止部材３７が上方に押し上げられて、係止枠４４が連結用ピン３３の係止溝３４に突出して係止され、装身具用連結金具３１の連結が完了する。これにより、連結用ピン３３は連結金具本体３２から引き抜けなくなる。
もう片方の連結用ピン３３を連結金具本体３２へ取り付ける操作も、上記説明と同様である。
【００２７】
また、ネックレス類を首から外すときには、連結金具本体３２の表面に突出している押ボタン部４２を押しながら、連結用ピン３３を引き抜く方向に引っ張れば、係止部材３７が押し下げられて係止枠４４が連結用ピン３３の係止溝３４から離れるので、ガイド部３６からどちらの連結用ピン３３も簡単に引き抜くことができる。
【００２８】
次に、図７は抜止め機構の他の例を示す拡大正面図である。
この実施例において抜止め機構は抜止め突起５１からなっている。
すなわち、押ボタン２２部のやや下側には、一対の対向する側壁からそれぞれ突出するよう抜止め突起５１が突設してある。
そして、係止部材１７を連結金具本体１２にはめ込むに際しては、係止部材２１の弾性を利用してその幅を縮小させてはめ込み、はめ込んだ後には抜止め突起５１は元の位置に復帰して、連結金具本体１２に設けた凹部に係合し、係止部材１７を外れ止めするよう機能する。
【００２９】
図８は抜止め機構のさらに別の例を示す拡大正面図である。
この実施例において抜止め機構は、コイルバネ１８を押圧するための押圧片５２に設けた抜止め用フック５３と、コイルバネ１８を収容するバネ収容部１９に設けた凹部５４とからなっている。
そして、係止部材１７を連結金具本体１２にはめ込むに際しては、バネ収容部１９の弾性を利用してその幅を拡大させて、押圧片５２に設けた抜止め用フック５３をはめ込み、はめ込んだ後にはバネ収容部１９は元の位置に復帰して、押圧片５２に設けた抜止め用フック５３に係合し、係止部材１７を外れ止めするよう機能する。
【００３０】
係止部材の抜止め機構は、上記実施例のものに限定されるものではなく、連結金具本体１２の側に抜止め用の突起物等を形成することもでき、また係止部材の機能を損なわない限り、種々の変形が可能である。
【産業上の利用可能性】
【００３１】
この発明はネックレス，ブレスレット，アンクレット等の環状装身具における連結金具に適用した場合を例示したが、装身具の連結個所であれば、上記環状装身具に限定されるものではない。
【図面の簡単な説明】
【００３２】
【図１】（a）はこの発明に係る第１実施例の装身具用連結金具の概略透視図、（ｂ）は連結用ピンを抜き取る際の説明図である。
【図２】連結金具本体に係止部材を取り付ける際の手順を示し、（ａ）は抜止めピンを押し込む前の概略図、（ｂ）は抜止めピンを押し込んでいる最中の概略図、（ｃ）は抜止めピンを押し込んだ後の概略図である。
【図３】係止部材の拡大側面図である。
【図４】係止部材の拡大正面図である。
【図５】（ａ）はこの発明に係る第２実施例の装身具用連結金具の概略透視図、（ｂ）は連結用ピンを抜き取る際の説明図である。
【図６】連結用ピンを押し込む際の説明図である。
【図７】抜止め機構の他の例を示す拡大正面図である。
【図８】抜止め機構のさらに別の例を示す拡大正面図である。
【符号の説明】
【００３３】
１１  装身具用連結金具
１２  連結金具本体
１３  連結用ピン
１４  係止溝
１５  圧入防止環
１６  ガイド部
１７  係止部材
１８  コイルバネ
１９  バネ収容部
２１  係止枠
２２  押ボタン部
２３  抜止めピン
３１  装身具用連結金具
３２  連結金具本体
３３  連結用ピン
３４  係止溝
３５  圧入防止環
３６  ガイド部
３７  係止部材
３８  コイルバネ
３９  バネ収容部
４１  脚部
４２  押ボタン部
４３  抜止めピン
４４  係止枠
５１  抜止め突起
５２  押圧片
５３  抜止め用フック
５４  凹部
【図１】
2008029693.tif 000003
【図２】
2008029693.tif 000004
【図３】
2008029693.tif 000005
【図４】
2008029693.tif 000006
【図５】
2008029693.tif 000007
【図６】
2008029693.tif 000008
【図７】
2008029693.tif 000009
【図８】
2008029693.tif 000010